(57)【要約】【課題】回路構成素子の同一面配置が可能で、放熱効率が高く、パワーを高める電球形インバータ蛍光灯を提供する。【解決手段】インバータ３４３は、略扁平状に形成された本体であってその広幅方向が口金３２の中心軸線Ｏに直交するように広幅面３４４ａ、３４４ａが回路基板３４１の配置面３４１ａに対して直立して設けられているインバータ本体３４４を有する。インバータ本体３４４の広幅面３４４ａ、３４４ａそれぞれに、回路基板３４１に対して同じ間隔をおいて直立する、一つの一次側端子３４５と二つの二次側端子３４６、３４６とが設けられ、一次側端子３４５、二次側端子３４６、３４６、・・・がそれぞれ回路基板３４１側に延伸して配置面３４１ａに電気的に固定されている。【選択図】図１
0003174782.tif 000002
【実用新案登録請求の範囲】
【請求項１】
中空状のハウジングと、
前記ハウジングの下部に設けられた、白熱電球用のソケットにねじ込み可能な電源入力源である口金と、
前記ハウジングの上部に装着された発光ランプと、
該発光ランプを点灯させるための点灯回路であって、前記ハウジング内に設けられ前記発光ランプ及び前記口金に電気的に接続された回路基板と、前記回路基板の前記口金側の配置面に電気的に接続されるように直立して設けられたインバータとを有し、前記インバータは、前記回路基板で覆われずに前記回路基板の前記口金側配置面に直立して設けられたインバータ本体と、前記インバータ本体の前記口金の中心軸線に対して両側面がそれぞれ背中合わせになるように電気的に設けられた入力電圧を供給する一次側端子と、出力電圧を供給する二次側端子とを有し、前記一次側端子と前記二次側端子とはそれぞれ前記回路基板側に延伸して前記回路基板の配置面に直接固定されている点灯回路と、
を備えていることを特徴とする電球形インバータ蛍光灯。
【請求項２】
前記回路基板は、前記配置面が前記口金の中心軸線に垂直な方向に、且つ前記ハウジングに水平に設けられていることを特徴とする請求項１に記載の電球形インバータ蛍光灯。
【請求項３】
前記回路基板は、前記配置面が前記口金の中心軸線に平行に前記ハウジングに設けられていることを特徴とする請求項１に記載の電球形インバータ蛍光灯。
【考案の詳細な説明】
【技術分野】
【０００１】
本考案は、電球形蛍光灯に関し、特にインバータを用いた電球形インバータ蛍光灯に関する。
【背景技術】
【０００２】
インバータを用いた電球形インバータ蛍光灯は、白熱電球と比較して消費電力が少なく、長く使用可能といった優れた特徴を有するため、省電力タイプの光源として近年普及している。図４に示されているのは、従来の電球形インバータ蛍光灯の一例である。図４に示された電球形インバータ蛍光灯１は、中空状ハウジング１１と、該ハウジング１１の下部に設けられ、白熱電球用のソケットにねじ込み可能な電源入力源である口金１３と、該ハウジング１１の上部に装着された、スパイラル形状の発光ランプ１２と、該ハウジング１１内に取り付けられ、発光ランプ１２を点灯させるための点灯回路１５とを含む。点灯回路１５は、ハウジング１１内に取り付けられ、発光ランプ１２及び口金１３に電気的に接続された回路基板１５１と、回路基板１５１に設けられて電気的に接続されたインバータ１５２とを有する。
【考案の概要】
【考案が解決しようとする課題】
【０００３】
図４に示された従来例は、扁平状のインバータ１５２の広幅方向の一方の面が、図５に示されたように、回路基板１５１で覆われるように設けられているため、インバータ１５２の露出部分が少なくなり、放熱効果が低下し、長く使用できなくなる。また、他の回路構成素子１５３、１５３、・・・の配置スペースが限られてしまうので、大きい回路基板を用いるか、回路構成素子１５３を同一の面でなく、適当に両面に分散して配置するための両面基板を用いる必要があるので、製造コストが高くなる。
【０００４】
図６には、従来の電球形インバータ蛍光灯の他例を示している。インバータ２５２がその広幅方向の面が回路基板２５１の配置面に対して垂直であるように設けられていることで、他の回路素子２５３の配置スペースが広くなり、且つ放熱効果の向上を図ることができる。
【０００５】
かかるインバータ蛍光灯２においては、インバータ２５２の一次側端子２５４と二次側端子２５５とが垂直方向の両端側に設けられているため、インバータ２５２は一次側端子２５４を介して回路基板２５１に直接電気的に接続され、二次側端子２５５はリード線２６を用いて回路基板２５１に電気的に接続されている。しかしながら、このような構造においては、リード線２６がハウジング２１内の高熱、高電圧に晒されるため、劣化破損しやすく、絶縁性の劣化、自然発火などの危険性をきたす問題点がある。
【０００６】
本考案は、上記事情に鑑みてなされたものであり、回路構成素子の同一面配置が可能で、放熱効率が高く、パワーを高める電球形インバータ蛍光灯を提供することを目的とする。
【課題を解決するための手段】
【０００７】
上記目的を達成するために、本考案の電球形インバータ蛍光灯は、中空状のハウジングと、前記ハウジングの下部に設けられた、白熱電球用のソケットにねじ込み可能な電源入力源である口金と、前記ハウジングの上部に装着された発光ランプと、該発光ランプを点灯させるための点灯回路であって、前記ハウジング内に設けられ前記発光ランプ及び前記口金に電気的に接続された回路基板と、前記回路基板の前記口金側の配置面に電気的に接続されるように直立して設けられたインバータとを有し、前記インバータは、前記回路基板で覆われずに前記回路基板の前記口金側配置面に直立して設けられたインバータ本体と、前記インバータ本体の前記口金の中心軸線に対して両側面がそれぞれ背中合わせになるように電気的に設けられた、入力電圧を供給する一次側端子及び出力電圧を供給する二次側端子とを有し、前記一次側端子及び前記二次側端子はそれぞれ前記回路基板側に延伸して前記回路基板の配置面に直接固定されている点灯回路とを備えていることを特徴とする電球形インバータ蛍光灯を提供する。
【考案の効果】
【０００８】
上記構成によれば、インバータが回路基板に直立して設けられているので、インバータが回路基板で覆われることがないため、インバータの発熱を効果的に放出することができる。また、インバータが回路基板に直立して設けられているので、他の回路構成素子の配置スペースを取らずに済み、電球形インバータ蛍光灯の小型化をも図ることができる。また、一次側端子及び二次側端子が回路基板に直接連結されているので、従来技術のようなリード線を使わずに済み、使用安全性を高めることができ、長く使用できる。
【図面の簡単な説明】
【０００９】
【図１】本考案の実施例１に係る電球形インバータ蛍光灯の構成を示す側面断面図である。
【図２】図１の電球形インバータ蛍光灯の構成を示す分解斜視図である。
【図３】本考案の実施例２に係る電球形インバータ蛍光灯の構成を示す側面断面図である。
【図４】従来の電球形インバータ蛍光灯の一例を概略的に示す側面断面図である。
【図５】図４の電球形インバータ蛍光灯の上面断面図である。
【図６】従来の電球形インバータ蛍光灯の他例を示す側面断面図である。
【考案を実施するための形態】
【００１０】
以下、図面を参照して本考案の一実施形態に係る電球形インバータ蛍光灯について説明する。
【実施例１】
【００１１】
図１は、本考案の実施例１に係る電球形インバータ蛍光灯の側面断面図、図２は、図１の電球形インバータ蛍光灯の分解斜視図である。この実施例に係る電球形インバータ蛍光灯３は、中空状のハウジング３１と、該ハウジング３１の下部に設けられた、白熱電球用のソケット（図示せず）にねじ込み可能な電源入力源である口金３２と、該ハウジング３１の上部に装着された、スパイラル形状の発光ランプ３３と、該発光ランプ３３を点灯させるための点灯回路３４とを含む。
【００１２】
発光ランプ３３は、例えばスパイラル形状の冷陰極管（ＣＣＦＬ）などを１つ用いているが、必要に応じて複数個使用することが可能である。なお、発光ランプ３３は公知の一般のランプなので、詳細な説明を省略する。ハウジング３１、口金３２も、従来の公知のものを用いるので、詳細な説明を省略する。
【００１３】
点灯回路３４は、ハウジング３１内に取り付けられ、発光ランプ３３及び口金３２に電気的に接続された回路基板３４１と、回路基板３４１の口金３２側の配置面３４１ａに設けられて電気的に接続されたインバータ３４３と、他の回路構成素子３４２、３４２、・・・とを有し、口金３２よりの電源入力を所定の電圧に変換して発光ランプ３３を点灯させる。
【００１４】
回路基板３４１は、インバータ３４３や他の回路構成素子３４２を配置している配置面３４１ａが、口金３２の中心軸線Ｏと垂直な方向に、且つハウジング３１に水平に設けられている。
【００１５】
インバータ３４３は、略扁平状に形成された本体であってその広幅方向が口金３２の中心軸線Ｏと直交するように広幅面３４４ａ、３４４ａが回路基板３４１の配置面３４１ａに対して直立して設けられているインバータ本体３４４を有する。インバータ本体３４４の広幅面３４４ａ、３４４ａそれぞれに、回路基板３４１に対して同じ間隔をおいて直立する、一つの一次側端子３４５と二つの二次側端子３４６、３４６とが設けられ、一次側端子３４５が入力電圧を供給し、二次側端子３４６、３４６が出力電圧を供給するように、それぞれ回路基板３４１側に延伸して例えば半田付けにより回路基板３４１の配置面３４１ａに電気的に固定されている。
【００１６】
以上のように、本考案に係る電球形インバータ蛍光灯３は、インバータ３４３が回路基板３４１に直立して設けられているので、インバータ３４３が回路基板３４１に覆われることがないため、インバータ３４３の発熱を効果的に放出することができる。また、インバータ３４３が回路基板３４１に直立して設けられているので、他の回路構成素子３４２の配置スペースを取らずに済み、電球形インバータ蛍光灯３の小型化をも図ることができる。また、一次側端子３４５及び二次側端子３４６が回路基板３４１に直接連結されているので、従来技術のようなリード線２６を使わずに済み、使用安全性を高めることができ、長く使用できる。
【００１７】
なお、本例に係る電球形インバータ蛍光灯３では、インバータ本体３４４に二次側端子３４６が２つ設けられているが、少なくとも１つ設ければよく、場合に応じて１つでも３つ以上でも良い。
【実施例２】
【００１８】
図３は、本考案の実施例２に係る電球形インバータ蛍光灯の側面断面図である。なお、同一構成及び機能を有する構成要素については、同じ番号を付してその説明を省略する。
【００１９】
この例に係る電球形インバータ蛍光灯３Ａにおいては、回路基板３４１が、インバータ３４３や他の回路構成素子３４２を配置している配置面３４１ａが口金３２の中心軸線Ｏに平行となるようにハウジング３１に設けられていること以外は、上記実施例１と同じである。
【００２０】
このようにすると、上記実施例１に係る電球形インバータ蛍光灯３と同様な効果が得られる。
【００２１】
以上のように、本考案に係る電球形インバータ蛍光灯３、３Ａによれば、インバータ３４３が回路基板３４１に直立して設けられているので、インバータ３４３の発熱を効果的に放出することができる。また、インバータ３４３が回路基板３４１で覆われずに回路基板３４１に直立して設けられているので、他の回路構成素子３４２の配置スペースを取らずに済み、電球形インバータ蛍光灯３の小型化を図ることができる。また、一次側端子３４５及び二次側端子３４６が回路基板３４１に対して同じ間隔をおいて直接連結されているので、従来技術のような、回路構成素子からの熱的な影響を受けて破損する危険性のあるリード線２６などを使わないため、使用安全性を高めることができる。従って、本考案に係る電球形インバータ蛍光灯の信頼性を向上させることができ、長く使用できる。
【符号の説明】
【００２２】
３、３Ａ  電球形インバータ蛍光灯
３１  ハウジング
３２  口金
Ｏ  中心軸線
３３  発光ランプ
３４  点灯回路
３４１  回路基板
３４１ａ  配置面
３４２  他の回路構成素子
３４３  インバータ
３４４  インバータ本体
３４４ａ  広幅面
３４５  一次側端子
３４６  二次側端子
【図１】
0003174782.tif 000003
【図２】
0003174782.tif 000004
【図３】
0003174782.tif 000005
【図４】
0003174782.tif 000006
【図５】
0003174782.tif 000007
【図６】
0003174782.tif 000008